(57)【特許請求の範囲】
【請求項１】
扁平型電池の一面に対応する底板部と、電池周面に対応する周壁部が設けられ、上面に電池が挿入される開口部を有するケースと、このケースの開口部内に配設され、電池の各電極と弾接する第１及び第２の端子とを備え、前記ケースの周壁部には、対向する位置に一対の切り欠き部を形成し、前記ケースには、電池の挿入部と挟持部を有すると共に、前記ケースの開口部側へ拡開した状態で対向して保持された一対の電池保持部を形成し、一対の前記電池保持部を、一対の前記切り欠き部内に軸を支点として回動可能に配設すると共に、一対の前記電池保持部が、前記電池挿入部への電池の挿入に伴って前記底板部側へ回動すると共に、前記挟持部で両側から電池を挟持するようにしたことを特徴とする電池ホルダ。
【請求項２】
前記電池保持部は、前記切り欠き部に薄厚状のヒンジ部で連結されており、このヒンジ部で前記電池保持部が前記ケースの開口部側へ拡開した状態で対向して保持されると共に、電池の挿入に伴って前記電池保持部が回動することにより前記ヒンジ部が切断されるようにしたことを特徴とする請求項１記載の電池ホルダ。
【請求項３】
前記ケースの底板部周縁には、電池の逆挿入時に電池の上面縁部に当接してそれ以上の挿入を阻止する傾斜面部を設けたことを特徴とする請求項１、又は２記載の電池ホルダ。
【請求項４】
前記傾斜面部は、電池挿入前の前記電池保持部の下側に位置する前記挟持部と電池の当接位置よりも上側に形成したことを特徴とする請求項３記載の電池ホルダ。
【発明の詳細な説明】
【０００１】
【発明の属する技術分野】
本発明は、ゲームソフトや事務機器など各種電子機器のメモリーバックアップ用として使用される電池ホルダの構造に関し、特に扁平型電池の収納構造に関する。
【０００２】
【従来の技術】
従来の扁平型電池の電池ホルダの構造を図１０乃至図１２に示す。図１０は電池ホルダを示す平面図、図１１は図１０の１１−１１線における断面図、図１２は図１０の１１−１１線で切断した状態の斜視図である。
【０００３】
図において、ケース３１は合成樹脂などの絶縁材からなり、上部が開口された略筒状に形成されている。このケース３１には、扁平型電池３２の一面に対応する底板部３１ａと、この電池３２の周面に対応する周壁部３１ｂが設けられ、上面には前記電池３２を挿入するための開口部３１ｃが設けられている。また、前記周壁部３１ｂの一端側には、切欠部３１ｄが設けられ、この切欠部３１ｄの他端側で前記周壁部３１ｂの内側には、挿入された前記電池３２の周面に当接してこの電池３２を前記切欠部３１ｄ方向へ押圧する弾性を有する第１の端子３３が配設されており、前記底板部３１ａの内面には、前記電池３２の一面に当接する第２の端子３４が配設されている。また、前記切欠部３１ｄと前記第１の端子３３が設けられた前記周壁部３１ｂの上端側には、前記開口部３１ｃから挿入された前記電池３２の上面を抑えて、前記電池３２が前記開口部３１ｃから離脱するのを阻止する阻止突部３１ｅ、３１ｆがそれぞれ形成されたものとなっている。
【０００４】
前記第１、および第２の端子３３、３４は、ステンレス鋼板などのばね性のある金属板から形成され、表面にニッケルメッキなどが施されている。前記第１の端子３３には、前記ケース３１の周壁部３１ｂ内に配設され、前記扁平型電池３２の周面（正極面）３２ａに接触する一対からなる第１の接点部３３ａが設けられており、また、前記第２の端子３４には、前記ケース３１の底板部３１ａ内に配設され、前記電池３２の下面（負極面）３２ｂに接触する第２の接点部３４ａが設けられている。また、前記第１、および第２の端子３３、３４の一端側は、前記ケース３１から外方へ突出されて、プリント基板３５の導電パターン（図示せず）に接続されるものとなっている。
【０００５】
次に、前記電池ホルダへ前記扁平型電池３２を収納するには、前記プリント基板３５上に前記電池ホルダを実装し、前記第１、および第２の端子３３、３４を前記導電パターン（図示せず）に半田付けした後、前記電池３２を前記ケース３１の開口部３１ｃから斜めに傾けた状態で挿入する。この時、前記電池３２は、その上面が前記周壁部３１ｂの上端側に設けられたそれぞれの阻止突部３１ｅ、３１ｆにより係止され、下面（負極面）３２ｂが前記底板部３１ａに配設された前記第２の接点部３４ａと当接されることで保持され、前記電池３２の周面（正極面）３２ａは、一対の前記第１の接点部３３ａと接触することで、前記ケース３１内に収納されるものとなる。
【０００６】
【発明が解決しようとする課題】
しかしながら、上述した従来の扁平型電池の電池ホルダの構造においては、前記ケース３１の周壁部３１ｂの上端側に電池３２の離脱を阻止する前記阻止突部３１ｅ、３１ｆを形成しており、前記ケース３１の開口部３１ｃから斜めに傾けた状態で電池を挿入してこの阻止突部３１ｅ、３１ｆに電池上面を係止していることから、電池の挿入作業性が悪く、自動化が困難であり、また、阻止突部３１ｅ、３１ｆの下にスライドさせて挿入するため、ケース３１の収納部分の大きさが大きくなってしまうという問題があった。
【０００７】
したがって、本発明では上述した問題点を解決し、電池ホルダに扁平型電池を挿入する場合に、電池を真上から挿入できるようにすることで挿入作業性を向上させると共に、ケースの収納部分を大きくすること無しに電池を確実に保持することができる扁平型電池の電池ホルダの構造を提供することを目的とする。
【０００８】
【課題を解決するための手段】
上記課題を解決するために本発明では第１の手段として、扁平型電池の一面に対応する底板部と、電池周面に対応する周壁部が設けられ、上面に電池が挿入される開口部を有するケースと、このケースの開口部内に配設され、電池の各電極と弾接する第１及び第２の端子とを備え、前記ケースの周壁部には、対向する位置に一対の切り欠き部を形成し、前記ケースには、電池の挿入部と挟持部を有すると共に、前記ケースの開口部側へ拡開した状態で対向して保持された一対の電池保持部を形成し、一対の前記電池保持部を、一対の前記切り欠き部内に軸を支点として回動可能に配設すると共に、一対の前記電池保持部が、前記電池挿入部への電池の挿入に伴って前記底板部側へ回動すると共に、前記挟持部で両側から電池を挟持するようにしたことを特徴とする。
【０００９】
また、第２の手段として、前記電池保持部は、前記切り欠き部に薄厚状のヒンジ部で連結されており、このヒンジ部で前記電池保持部が前記ケースの開口部側へ拡開した状態で対向して保持されると共に、電池の挿入に伴って前記電池保持部が回動することにより前記ヒンジ部が切断されるようにしたことを特徴とする。
【００１０】
また、第３の手段として、前記ケースの底板部周縁には、電池の逆挿入時に電池の上面縁部に当接してそれ以上の挿入を阻止する傾斜面部を設けたことを特徴とする。
【００１１】
また、第４の手段として、前記傾斜面部は、電池挿入前の前記電池保持部の下側に位置する前記挟持部と電池の当接位置よりも上側に形成したことを特徴とする。
【００１４】
【発明の実施の形態】
以下、本発明の実施例を図１乃至図８に示す。図１は本発明の電池ホルダを示す斜視図、図２は図１の一部を破断した状態の斜視図、図３は電池ホルダに電池を挿入した状態を示す斜視図、図４は電池ホルダに電池を正挿入した状態を示す説明図、図５は電池を逆挿入した状態を示す説明図、図６は電池の正挿入時を示す簡易説明図、図７は電池の逆挿入時を示す簡易説明図、図８は電池保持部とケースとにヒンジ部を有する電池ホルダを示す斜視図である。
【００１５】
図において、ケース１は、合成樹脂などの絶縁材で略筒状に形成されており、その中央には扁平型電池２が収納される収納部１ａが形成されている。この収納部１ａには、前記電池２の一面と対応する平板状の底板部１ｂと、この底板部１ｂの周縁に立直した前記電池２の周面と対応する周壁部１ｃが形成されて、この周壁部１ｃの上端側が前記電池２が挿入される開口部１ｄとなっている。
【００１６】
前記周壁部１ｃの内側面には、凹溝部１ｅが４個それぞれ対角線状に対向された状態で形成されており、この凹溝部１ｅには、前記電池２の正極面である周面２ａと接触する後述する第１の端子４が４個それぞれ対角線状に対向された状態で配設されている。また、前記底板部１ｂには、一対の窓孔１ｆが設けられており、この窓孔１ｆの対向する一端側には、前記電池２の負極面である一面（下面）２ｂと接触する後述する第２の端子５がそれぞれ配設されたものとなっている。
【００１７】
また、前記周壁部１ｃには、外側に切り欠いた一対の切り欠き部１ｇ、１ｇが対向されて形成されており、この切り欠き部１ｇ、１ｇの両側部には、一対の軸受け溝１ｈ、１ｈが形成されている。この軸受け溝１ｈ、１ｈに後述する電池保持部３の回動軸３ａが係合されて回動可能に取り付けられるものとなっている。また、前記ケース１の前記切り欠き部１ｇを除いた底板部１ｂ周縁には、斜面からなる傾斜面部１ｉが設けられており、前記電池２の逆挿入時に電池２の上面縁部に当接してそれ以上の挿入を阻止するようになっている。
【００１８】
電池保持部３は、合成樹脂などの絶縁材で断面略Ｕ字状に形成されており、Ｕ字状の基部の両側部には、前記周壁部１ｃの軸受け溝１ｈに係合して回動可能に支持される回動軸３ａが突出して形成されている。また、前記電池保持部３の中央には、電池が挿入される空間からなる挿入部３ｂと、この挿入部３ｂを挟んで上下に対向して配設された挟持部３ｃ、３ｄとが形成されている。また、この挟持部３ｃ、３ｄのうち下面側に形成された前記挟持部３ｄの内側下部には、斜面からなる傾斜面部３ｅが設けられている。
【００１９】
また、前記収納部１ａに前記電池２を挿入する場合、前記ケース１の底板部１ｂに形成された前記傾斜面部１ｉは、前記電池２を挿入する前の前記電池保持部３の下側に位置する前記挟持部３ｄの先端と前記電池２の上面との当接位置Ｐ１に対して、前記傾斜面部１ｉと前記電池２の上面との当接位置Ｐ２の方を上側に位置するように形成されており、確実に電池の逆挿入を阻止することが可能となっている。また、前記電池２の方向を正規に挿入した場合には、上面側に設けられた前記挟持部３ｃが、前記電池２の上面に確実に係止されるものとなり、電池２の離脱を防止するものとなっている。（図６及び図７）
【００２０】
第１の端子４は、ステンレス鋼板などのばね性のある金属板から形成され、必要に応じて表面にニッケルなどのメッキ処理が施されている。この第１の端子４の一端側には、突出した突起からなる第１の接点部４ａが形成されており、この第１の接点部４ａが自身のばね性により前記電池２の正極面である周面２ａに弾圧されて接触するようになっている。また、前記第１の端子４の他端側には、前記第１の接点部４ａから延設された第１の接続部４ｂが形成されており、その先端部が前記ケース１の外部へ導出されたものとなっている。
【００２１】
第２の端子５は、同じくステンレス鋼板などのばね性のある金属板から形成され、必要に応じて表面にニッケルなどのメッキ処理が施されている。この第２の端子５の一端側は、前記底板部１ｂの窓孔１ｆに配設され、その中央が切り起こされて、その先端側が前記収納部１ａの開口部１ｄ側を向くように形成されており、この先端には突出した突起からなる第２の接点部５ａが形成されている。この第２の接点部５ａが前記電池２の一面の負極面である下面２ｂに弾圧されて接触するようになっている。また、前記第２の端子５の他端側には、前記第２の接点部５ａから延設された第２の接続部５ｂが形成されており、その先端部が前記ケース１の外部へ導出されたものとなっている。
【００２２】
次に、上述した本発明の電池ホルダへ前記電池２を収納するには、図示しないプリント基板上に前記電池ホルダを実装し、前記第１、および第２の端子４、５の接続部４ｂ、５ｂを、図示しない導電パターンにリフローなどの方法で半田付けをする。
【００２３】
次に、前記電池２を前記ケース１の開口部１ｄに真上から挿入する。この時、前記電池２は、その両端部が前記開口部１ｄの切り欠き部１ｇ、１ｇに設けられた前記電池保持部３の挿入部３ｂに挿入されることとなるが、この挿入に伴って、前記電池保持部３は、下側に設けられた前記挟持部３ｄが前記電池２の下面で押されることにより、前記切り欠き部１ｇの軸受け溝１ｈに係合された前記回動軸３ａを中心として前記底板部１ｂ側へと回動されることとなる。そして、前記電池保持部３が回動することにより、前記電池２は前記開口部１ｄ内へと挿入され、前記収納部１ａ内に収納されるものとなる。
【００２４】
この場合、前記電池２の挿入前の状態においては、前記電池保持部３の挿入部３ｂは、斜め上方を向いて係止されて前記開口部１ｄ側に拡開した状態となっており、前記電池２を真上から挿入する場合に、上面側に形成された前記挟持部３ｃが多少長く形成されていても、電池２の挿入に伴って、前記電池保持部３が回動するようになっていることから、電池２の挿入を容易に行うことができると共に、確実に電池を保持することができるものとなっている。
【００２５】
尚、図８に示すように、前記電池保持部３を前記ケース１に斜め上方を向いて係止させ、前記開口部１ｄ側に拡開した状態とさせるために、前記電池保持部３を、前記切り欠き部１ｇに薄厚状のヒンジ部１ｊで連結するように形成しても良く、このヒンジ部１ｊを設けることにより、前記電池保持部３は、確実に前記ケース１の開口部１ｄ側へ拡開した状態で対向して保持されるものとなる。また、前記ヒンジ部１ｊは、薄厚状に形成されているので、前記電池２の挿入に伴って前記電池保持部３が回動することにより前記ヒンジ部１ｊが切断されるようになっている。
【００２６】
また、前記電池保持部３と前記切り欠き部１ｇとを、前記ヒンジ部１ｊで連結する場合に、前記ケース１と前記電池保持部３とを、前記ヒンジ部１ｊを介して同一材料で一体成形して形成することも可能であり、こうすることにより、部品点数の削減、及び組立作業性の向上が図れるものとなっている。
【００２７】
また、前記電池２が前記収納部１ａに収納された状態においては、前記電池２の正極面である周面２ａは、前記第１の接点部４ａに接触して、前記第１の端子４の弾性による押圧力により、それぞれ対向する周壁部１ｃの方向へ押圧された状態となっており、また、前記電池２の負極面である下面２ｂは、前記第２の接点部５ａに接触して、前記第２の端子５の弾性による押圧力により対向する上面両端部が上面側の前記挟持部３ｃに押圧された状態となっていることから、電池２を上下、左右方向へ強固に係止することが可能となり、電池２を確実に前記収納部１ａに保持できるものとなっている。この状態で、前記電池２は、前記第１の端子４の第１の接点部４ａと第２の端子５の第２の接点部５ａとに接続された状態で、前記ケース１内に収納されるものとなる。
【００２８】
次に、電池２を逆方向に挿入した場合について図５乃至図７で説明する。図５は電池２を逆方向へ挿入した場合を示しており、前記電池２を前記ケース１の開口部１ｄから上下方向を逆（電池２の負極面である下面２ｂを上側）にして挿入した場合、前記電池２は、前記開口部１ｄに設けられた前記電池保持部３の挿入部３ｂに挿入されることとなる。前記ケース１の底板部１ｂ周縁には、前記傾斜面部１ｉが設けられているため、図６に示すように電池２を正しい方向で挿入した場合には、前記傾斜面部１ｉと前記電池２の下側の外周端部とは当接しないようになっているが、図７に示すように電池２を逆方向へ挿入した場合には、この傾斜面部１ｉに電池２の上面縁部が当接するようになっている。
【００２９】
このため、電池２を逆方向へ挿入した場合には、前記電池２の上面縁部が前記傾斜面部１ｉにぶつかり前記電池２は前記挿入部３ｂへのそれ以上の挿入が阻止され、電池２の挿入を阻止することができる。
【００３０】
また、前記収納部１ａに前記電池２を挿入する場合、前記ケース１の底板部１ｂに形成された前記傾斜面部１ｉは、前記電池２を挿入する前の前記電池保持部３の下側に位置する前記挟持部３ｄの先端と前記電池２の上面との当接位置Ｐ１に対して、前記傾斜面部１ｉと前記電池２の上面との当接位置Ｐ２の方を上側に位置するように形成されていることから、電池２を逆方向に挿入した場合には、前記電池保持部３が回動する前に前記電池２が前記傾斜面部１ｉと当接するようになっているため、確実に電池２の挿入を阻止することが可能となっている。
【００３１】
上述した、本発明の電池ホルダの構成においては、上面に電池２が挿入される開口部１ｄを有する前記ケース１に、前記開口部１ｄ側へ拡開した状態で対向して保持された一対の前記電池保持部３を形成し、この電池保持部３が、前記電池挿入部３ｂへの電池２の挿入に伴って前記底板部１ｂ側へ回動すると共に、前記挟持部３ｃ、３ｄで両側から電池２を挟持するようにしたことから、電池２を斜めに傾けた状態で挿入する必要がなく前記開口部１ｄの真上から挿入できるため挿入作業性が向上されると共に、前記ケース２の収納部分の大きさを大きくする必要がなく、電池を確実に保持することができる。
【００３２】
また、前記ケース１の周壁部１ｃの対向する位置に、一対の前記切り欠き部１ｇを形成して、前記電池保持部３を前記切り欠き部１ｇ内に前記回動軸３ａを支点として回動可能に配設するようにしたので、構成が簡易となり、ケース１の小型化対応が可能となっている。
【００３３】
図９は本発明の参考例である電池ホルダを示す参考図である。尚、図１乃至図８で説明した同一部品については、同一符号を付してその説明を省略する
【００３４】
図９に示す参考例の電池ホルダは、電池保持部の構造が上記実施例とは一部相違している。上記実施例においては、前記電池保持部３は、前記回動軸３ａで前記ケース１の切り欠き部１ｇの前記軸受け溝１ｈに回動可能に支持されており、また、一部は前記ケース１と同一材料のヒンジ部１ｊで前記ケース１の切り欠き部１ｇに一体的に形成されていたが、本参考例においては、ケース１とは異なる金属板などからなる端子で回動可能に形成されている。
【００３５】
図９に示す電池保持部６は、金属材からなる第２の端子７の弾性を利用して、この第２の端子７に回動可能に取り付けられており、前記電池２を上下から挟持する挟持部６ｂ、６ｃのうち下面側の挟持部６ｃの一部は、前記第２の端子７の切り起こし部で形成されている。また、この切り起こし部である下面側の挟持部６ｃには、前記電池２の負極面である下面２ｂと接触する第２の接点部７ａが形成されており、前記電池２が前記電池保持部６の挿入部６ａに挿入されると、この挿入に伴って、前記電池保持部６は、前記第２の接点部７ａが前記電池２の下面で押されることにより、前記第２の端子７の弾性により前記底板部１ｂ側へと回動されることとなる。そして、前記電池保持部３が回動することにより、前記電池２は前記開口部１ｄ内へと挿入され、前記収納部１ａ内に収納されるものとなる。
【００３６】
本構造によれば、前記電池保持部６は金属材の弾性によって回動可能に保持されており、前記電池保持部６は、前記第２の端子７の弾性によって確実に前記ケース１の開口部１ｄ側へ拡開した状態で対向して保持されていることから、電池２の挿入を容易に行うことができると共に、確実に電池２を保持することができるものとなっている。また、前記ケース１と前記電池保持部６とを連結しておくヒンジ部などを設ける必要がないことから、構成が簡易となり、安価対応が図れるものとなっている。
【００３７】
【発明の効果】
以上説明したように、本発明の電池ホルダは、上面に電池が挿入される開口部を有するケースに、開口部側へ拡開した状態で対向して保持された一対の電池保持部を形成し、この電池保持部が、電池挿入部への電池の挿入に伴って底板部側へ回動すると共に、挟持部で両側から電池を挟持するようにしたことから、電池を斜めに傾けた状態で挿入する必要がなく開口部の真上から挿入できるため挿入作業性が向上されると共に、ケースの収納部分の大きさを大きくする必要がなく、電池を確実に保持することができる。
【００３８】
また、ケースの周壁部には、対向する位置に一対の切り欠き部を形成し、電池保持部は、切り欠き部内に軸を支点として回動可能に配設されていることから、構成が簡易となり、ケースの小型化対応が可能となる。
【００３９】
また、電池保持部は、切り欠き部に薄厚状のヒンジ部で連結されており、このヒンジ部で電池保持部がケースの開口部側へ拡開した状態で対向して保持されると共に、電池の挿入に伴って電池保持部が回動することによりヒンジ部が切断されるようにしたことから、電池保持部は、確実にケースの開口部側へ拡開した状態で対向して保持されると共に、ヒンジ部を介して同一材料で一体成形して形成することにより、部品点数の削減、及び組立作業性の向上が図れる。
【００４１】
また、ケースの底板部周縁には、電池の逆挿入時に電池の上面縁部に当接してそれ以上の挿入を阻止する傾斜面部を設けたことから、電池を逆方向へ挿入した場合には、電池の上面縁部が傾斜面部にぶつかり電池の挿入を阻止することができる。
【００４２】
また、傾斜面部は、電池挿入前の電池保持部の下側に位置する挟持部と電池の当接位置よりも上側に形成したことから、電池２を逆方向に挿入した場合には、電池保持部が回動する前に傾斜面部に当接するため、確実に電池の挿入を阻止することが可能となる。
【図面の簡単な説明】
【図１】本発明の１実施例である電池ホルダを示す斜視図である。
【図２】本発明の図１の一部を破断した状態を示す斜視図である。
【図３】本発明の電池ホルダに電池を挿入した状態を示す斜視図である。
【図４】本発明の電池ホルダに電池を正挿入した状態を示す説明図である。
【図５】本発明の電池ホルダに電池を逆挿入した状態を示す説明図である。
【図６】本発明の電池ホルダの電池の正挿入時を示す簡易説明図である。
【図７】本発明の電池ホルダの電池の逆挿入時を示す簡易説明図である。
【図８】本発明の電池保持部とケースとにヒンジ部を有する電池ホルダを示す斜視図である。
【図９】本発明の他の実施例である電池ホルダを示す斜視図である。
【図１０】従来の電池ホルダの構造を示す平面図である。
【図１１】従来の図１０の１１−１１線における断面図である。
【図１２】従来の図１０の１１−１１線で切断した状態を示す斜視図である。
【符号の説明】
１  ケース
１ａ  収納部
１ｂ  底板部
１ｃ  周壁部
１ｄ  開口部
１ｅ  凹溝部
１ｆ  窓孔
１ｇ  切り欠き部
１ｈ  軸受け溝
１ｉ  傾斜面部
１ｊ  ヒンジ部
２  電池
２ａ  周面（正極面）
２ｂ  下面（負極面）
３，６  電池保持部
３ａ  回転軸
３ｂ，６ａ  挿入部
３ｃ，３ｄ，６ｂ，６ｃ  挟持部
３ｅ  傾斜面部
４  第１の端子
４ａ  第１の接点部
４ｂ  第１の接続部
５，７  第２の端子
５ａ，７ａ  第２の接点部
５ｂ  第２の接続部
【図１】
0003776694.tif 000002
【図２】
0003776694.tif 000003
【図３】
0003776694.tif 000004
【図４】
0003776694.tif 000005
【図５】
0003776694.tif 000006
【図６】
0003776694.tif 000007
【図７】
0003776694.tif 000008
【図８】
0003776694.tif 000009
【図９】
0003776694.tif 000010
【図１０】
0003776694.tif 000011
【図１１】
0003776694.tif 000012
【図１２】
0003776694.tif 000013